(57)【要約】【課題】  一体化された取手（２）を持つ中空体を含むボトル形状プラスチック容器（１）を提供する。【解決手段】  前記取手（２）は手の平凹所（２０）と二つの対向した指凹所（２１）により構成され；前記手の平凹所（２０）は好ましくは少なくとも５ｍｍの深さを持ち；前記二つの対向した指凹所は手の平凹所（２０）の底部（２０２）の延長部であり、かつ前記手の平凹所（２０）の底部（２０２）は指凹所（２１）に延びるリブ（２３）を含む。【選択図】  図２
2009536598.tif 000002
【特許請求の範囲】
【請求項１】
一体化された取手を持つ中空体を含むプラスチック容器（１）であって、前記取手（２）が手の平凹所（２０）と二つの対向した指凹所（２１；２２）により構成されており、前記二つの対向した指凹所（２０；２１）が前記手の平凹所（２０）の底部（２０２）の延長部であり、かつ前記手の平凹所（２０）の底部（２０２）が指凹所（２１；２２）に延びるリブ（２３）を含むことを特徴とする容器。
【請求項２】
前記手の平凹所（２０）が少なくとも５ｍｍの深さ（ｄ）を持つことを特徴とする請求項１に記載の容器。
【請求項３】
前記手の平凹所（２０）の深さ（ｄ）が少なくとも８ｍｍに等しいことを特徴とする請求項２に記載の容器。
【請求項４】
各指凹所（２１／２２）が、手の平凹所（２０）の底部（２０２）に結合しかつ少なくとも２０°に等しい傾斜角度（Ａ）を持つ内側傾斜部（２１ａ／２２ａ）を含むことを特徴とする請求項１から３のいずれか一つに記載の容器。
【請求項５】
指凹所（２１／２２）の前記内側傾斜部（２１ａ／２２ａ）の傾斜角度（Ａ）が少なくとも４０°に等しいことを特徴とする請求項４に記載の容器。
【請求項６】
各指凹所（２１／２２）が、手の平凹所（２０）の底部（２０２）に結合しかつ少なくとも５ｍｍに等しい深さ（ｅ）を持つ内側傾斜部（２１ａ／２２ａ）を含むことを特徴とする請求項１から５のいずれか一つに記載の容器。
【請求項７】
指凹所（２１／２２）の前記内側傾斜部（２１ａ／２２ａ）の深さ（ｅ）が少なくとも１０ｍｍに等しいことを特徴とする請求項６に記載の容器。
【請求項８】
手の平凹所（２０）の底部（２０２）が凸状であることを特徴とする請求項１から７のいずれか一つに記載の容器。
【請求項９】
手の平凹所（２０）の底部（２０２）の幅（Ｌ）がその上部または下部縁（２０１；２０３）の領域において手の平凹所（２０）の幅（Ｗ）より小さいことを特徴とする請求項１から８のいずれか一つに記載の容器。
【請求項１０】
手の平凹所（２０）の底部（２０２）全体、または手の平凹所（２０）の底部（２０２）の一部の幅（Ｌ）が好ましくは実質的に７５ｍｍに等しいことを特徴とする請求項１から９のいずれか一つに記載の容器。
【請求項１１】
手の平凹所（２０）の底部（２０２）の高さ（Ｈ）が少なくとも５０ｍｍ、より好ましくは少なくとも６０ｍｍに等しいことを特徴とする請求項１から１０のいずれか一つに記載の容器。
【請求項１２】
少なくとも２リットル、より好ましくは少なくとも３リットルの充填容量を持つことを特徴とする請求項１から１１のいずれか一つに記載の容器。
【発明の詳細な説明】
【技術分野】
【０００１】
本発明は、一体化された取手を含むボトル形状プラスチック容器に関する。
【背景技術】
【０００２】
例えばペットボトルのようなプラスチックボトル形状容器は種々の種類の製品を貯蔵するために広く使用されている。
【０００３】
前記プラスチック容器の取扱いを容易にするために、特別な取手をこれらの容器に与えることは今日知られている。
【０００４】
第一の既知の技術的解決策によれば、取手は容器の中空体上に固定された、例えば溶接された付加片である。しかしながら、この解決策はコストがかかる。なぜなら、それは、別個の取手の製造、及び取手を容器の中空体上に固定するための追加の製造工程を含むからである。
【０００５】
第二の有利な技術的解決策は、一体化されたピンチグリップ取手を持つプラスチック容器を製造することからなる。前記一体化された取手は、本質的に容器の中空体の二つの対向側壁に作られた二つの対向凹所により構成される。この解決策は、例えばヨーロッパ特許出願ＥＰ１４５９９９０及びＥＰ１４３１１９０、及び米国特許６７３９４６７号に記載されている。
【０００６】
しかしながら、これらの刊行物中に記載されたピンチグリッププラスチック容器は完全に満足のいくものではない。使用者がその手で容器をはさむことによりこれらのピンチグリップ容器を取扱うとき、使用者の親指は一つの凹所に置かれ、使用者の四本の残りの指は対向凹所に置かれるが、容器の重量下に、特に容器が満たされているとき、容器が使用者の手から滑りかつ逃げる傾向が高い。さらに、これらの一体化された取手の剛性は弱い。従って、ピンチグリッププラスチック容器のこれらの既知の構造は、大きな充填容量を持つ容器（すなわち典型的には２リットル以上の充填容量を持つ容器）を作るためには実際には適していない。
【発明の開示】
【発明が解決しようとする課題】
【０００７】
本発明の一つの主な目的は、容器の取扱いを改善する一体化された取手を持つボトルタイプのプラスチック容器を得ることである。
【０００８】
本発明のさらなるかつ任意選択的な目的は、少なくとも３リットルの充填容量を持ちかつかかる大きな寸法の容器の取扱いを改善する一体化された取手を含むボトルタイプのプラスチック容器を得ることである。
【０００９】
本発明のさらなるかつ任意選択的な目的は、容器の取扱いを改善する一体化された取手を持つボトルタイプのプラスチック容器を得ることであり、前記容器は射出延伸ブロー成形により製造される。
【課題を解決するための手段】
【００１０】
本発明のプラスチック容器は、一体化された取手を持つ中空体を含む。前記取手は手の平凹所と二つの対向指凹所により構成され；前記二つの対向指凹所は前記手の平凹所の底部の延長部であり；前記手の平凹所の底部は指凹所に延びるリブを含む。
【００１１】
本発明の他の追加の任意の技術的特徴は請求項中に述べられている。
【００１２】
図面の簡略説明
本発明の他の特徴及び利点は、非排他的かつ非限定的例として添付図面に関してなされる以下の詳細な説明を読めば、より明確に明らかとなるであろう。
【００１３】
図１及び２は、本発明の好適な実施態様に従って作られたボトルタイプの容器の透視図である。
【００１４】
図３は、図１の容器の側面図である。
【００１５】
図４は、図３の容器の左面図である（正面図）。
【００１６】
図５は、図３の容器の右面図である（背面図）。
【００１７】
図６は、図３の水平面ＶＩ−ＶＩの容器の水平断面図である。
【００１８】
図７は、図５の垂直面ＶＩＩ−ＶＩＩの容器の垂直断面図である。
【００１９】
図８は、容器の上部から見た、手により握られた空の容器の写真である。
【００２０】
図９は、容器の側面から見た、手により握られた空の容器の写真であり、容器は注ぐ状態の準備として垂直から傾斜されている。
【発明を実施するための最良の形態】
【００２１】
図１から９の特別な実施態様では、プラスチックボトル形状容器１は、閉じられたベース部１０、主本体部１１、肩部１２、及び容器を充填するかまたは空にするための開口１４により終了した首部１３を含む中空体により構成されている。この中空体は、図面中に概括的に参照番号２を付され、かつ使用者がしっかりと容易に容器１を取扱うことを可能にする、一体化されかつ成形された取手を含む。
【００２２】
この例では、容器１のプラスチック中空体は射出延伸ブロー成形の周知の技術により得られることが好ましく、容器を作るために使用されるプラスチック材料は、かかる技術で使用されることができるあらゆる既知のポリマー（単数または複数）である。容器の構造は単層タイプまたは多層タイプであることができる。例えば、容器に対して特別な気体遮断性が必要でないとき、プラスチック容器１は単層構造を持つことができ、好ましくはＰＥＴから作られる。しかし、本発明はかかる特別なポリマーに限定されない。当業者は、既知の方法で、容器のために必要な性質に応じて容器を作るために好適な構造（単層または多層構造）及びポリマー（単数または複数）を選択するだろう。
【００２３】
図１から９の特別な例では、容器のベース部１０は水平断面で実質的に長方形の形状を持ち、主本体部１１は本質的に四つの垂直パネル、すなわち：前面パネル１１０、背面パネル１１１、及び二つの対向側面パネル１１２と１１３を含む。しかし、本発明は容器のこの特別な幾何学的形状に限定されず、本発明の一体化された取手はどのような種類の幾何学的形状にも、例えば水平断面で実質的に円形、長円形‐‐‐である形状を持つ容器にも適用されることができる。
【００２４】
容器１の一体化されかつ成形された取手２は今や詳細に説明されるだろう。
【００２５】
取手２は以下のものにより構成される：
−  主本体部１１の背面パネル１１１内に作られかつ使用者の手の平を受ける寸法を持つ一つの凹所２０；前記凹所２０はここでは「手の平凹所」として示される；
−  二つの側面パネル１１２と１１３内にそれぞれ作られかつここでは「指凹所」として示された二つの対向凹所２１と２２。
【００２６】
図面に示された好適な実施態様によれば、指凹所２１と２２は、実質的に同一であり、かつ両方とも使用者の四本の指を受けるための寸法を持つ。従って、容器は左ききまたは右ききの使用者の両者により有利に取扱われることができる。
【００２７】
図７を参照すると、手の平凹所２０は、上部及び下部内側傾斜部２０１，２０３、及び上部及び下部内側傾斜部２０１，２０３の両者間に延びる底部２０２により構成される。手の平凹所２０の深さは図７に（ｄ）と参照符号を付けられている。
【００２８】
図１，２，３及び６を参照すると、二つの指凹所２１と２２は手の平凹所２０の底部２０２の延長部である。図６を参照すると、各指凹所２１（２２）は、手の平凹所２０の底部２０２に結合する第一内側傾斜部２１ａ、第一内側傾斜部２１ａ（２２ａ）に対向した第二内側傾斜部２１ｃ（２２ｃ）、及び第一及び第二内側傾斜部２１ａ及び２１ｃ（２２ａ及び２２ｃ）間に延びる底部２１ｂ（２２ｂ）を含む。
【００２９】
取手２は、取手２を強化するために五つの主要補強リブ２３を含む。しかし、主要リブ２３の数は本発明の他の実施態様では異なることができ、取手のために必要な剛性のレベルに応じて当業者により規定されるであろう。リブ２３はまた、容器との手の摩擦接触を有利に改善し、それにより手から滑る危険も減らす。
【００３０】
各主要リブ２３は、底部２０２の全幅（Ｌ）上に作られかつ指凹所２１，２２の両先端に延びる中央部２３ａを持つ。図面に示された特別な例では、リブ２３は実質的に水平である。しかし、リブ２３のこの特別な方向付けは本発明に対する制限ではない。本発明の他の実施態様では、リブ２３は異なる方向付けを持つことができ、かつ／またはリブ２３の方向付けはリブの全長に渡って同じである必要はない。
【００３１】
指凹所２１，２２の主要リブ２３の延長部は図面中に２３ｂと参照符号を付けられている。好ましくは、しかし必然的ではなく、指凹所２１（２２）の主要リブ２３の各延長部２３ｂは第二内側傾斜部２１ｃ（２２ｃ）で終了する。本発明の別の実施態様では、主要リブ２３の延長部２３ｂは、指凹所２１（２２）の底部２１ｂ（２２ｂ）で、または指凹所２１（２２）の第一内側傾斜部２１ａ（２２ａ）でさえ終了することができる。
【００３２】
取手２の剛性はまた、取手の厚さに明らかに依存する。当業者は、達成されねばならない剛性に従って取手２に対して適切な厚さを自信をもって選択するであろう。ほんの例として、添付図面の特別な容器に対して、ＰＥＴが使用されるとき、取手２に相当する領域内の容器壁に対して略０．７５ｍｍの平均壁厚により剛性に関して良好な結果が達成される。
【００３３】
容器１を取扱うために、一使用者は取手２内にその手を配置し、図８と９に示された方法で取手２をはさむ。使用者の手の平は取手２の手の平凹所２０の底部２０２に対して略配置され；使用者の親指は一つの指凹所２１（または２２）の内側に配置され、かつ使用者の四本の残りの指は対向指凹所２２（または２１）の内側に配置される。
【００３４】
好ましくはかつ任意選択的に、図６と８に示されるように、手の平凹所２０の底部２０２は、使用者の手の平によりぴったりと合うために凸状とされる。追加的に、底部２０２のこの凸状は取手の剛性を有利に増大する。明確化のため、用語「凸状」は、図６に示されたもののように連続丸みをつけた曲線に限定されず、外側に方向付けられた底部２０２のためのいかなる外面も包含する。凸状底部２０２は例えば幾つかの面から作られることができる。
【００３５】
使用者が容器を持ち上げるとき、使用者の手は本質的に手の平凹所２０の上部２０１により阻止される。使用者の手のこの垂直阻止のおかげで、容器の重量下に、特に容器が満たされ、従って重くなっているときに、手からの容器の偶発的滑りを避けることができる。手の最適な垂直阻止を得るために、手の平凹所の深さ（ｄ）は好ましくは少なくとも５ｍｍに等しく、さらにより好ましくは少なくとも８ｍｍに等しい。
【００３６】
さらに、使用者が容器１を取扱うとき、使用者の指は、取手をはさんでおり、指凹所２１，２２の二つの対向第一内側傾斜部２１ａ，２２ａにより有利に阻止される。
【００３７】
好ましくは、図６を参照すると、容器１の取扱いを改善し、手からの滑りの危険を最適に減らすために、各第一内側傾斜部２１ａ，２２ａの内側傾斜角度（Ａ）は好ましくは少なくとも２０°に等しく、より好ましくは少なくとも４０°に等しく、かつ各第一内側傾斜部２１ａ，２２ａの深さ（ｅ）は好ましくは少なくとも５ｍｍに等しく、より好ましくは少なくとも１０ｍｍに等しい。前記深さ（ｅ）は、底部２０２の全高（Ｈ）に渡って実質的に一定であることができ、または底部２０２の高さ（Ｈ）に沿って変化することができる。これらの好ましい特徴のおかげで、容器１は手からの滑りを防ぐために取手にどのような圧搾力も付与することなしに有利に取扱われることができる。
【００３８】
好ましくは、図１から９の特別な実施態様では、取手２の剛性を有利に増大するために、手の平凹所２０の少なくとも上部傾斜部２０１に、及びまた手の平凹所２０の下部傾斜部２０３に、任意の小さなかつ水平なリブ２４が作られ；指凹所２１，２２の少なくとも上部に、かつまた指凹所２１，２２の下部にも任意の小さなリブ２５が作られる。
【００３９】
図面に示された好ましい実施態様では、手の平凹所２０の底部２０２の幅（Ｌ）は、使用者の平均的手の寸法に適合させるために、その上部または下部縁２０１，２０３の領域で手の平凹所２０の幅（Ｗ）より小さい。図面に示された特別な実施態様では、手の平凹所２０の底部２０２の幅（Ｌ）は底部２０２の全高（Ｈ）に渡って実質的に一定であることが注目されなければならない。しかし、この特別な特徴は本発明に対する限定ではない。本発明の他の実施態様では、手の平凹所２０の底部２０２の幅（Ｌ）は底部２０２の高さに沿って変更することができる。典型的には、手の平凹所２０の底部２０２全体のまたは手の平凹所２０の底部２０２の一部の幅（Ｌ）は好ましくは実質的に７５ｍｍに等しい。
【００４０】
さらに、図７を参照すると、手の平凹所２０の底部２０２の高さ（Ｈ）は、使用者の平均的手の寸法に適合させるために十分な大きさでなければならない。好ましくは、この高さ（Ｈ）は少なくとも５０ｍｍに等しく、より好ましくは少なくとも６０ｍｍに等しい。添付図面に関して述べられた一体化された取手２は、大きな充填容量を持つプラスチック容器のために、特に少なくとも２リットルの（より好ましくは少なくとも３リットルの）充填容量を持ちかつ例えば液体（例えば、洗濯液、洗剤、飲料‐‐‐）を貯蔵するために使用される容器のために特に適している。しかし、本発明はより小さな充填容量を持つ容器に対して適用されることができる。
【図面の簡単な説明】
【００４１】
【図１】本発明の好適な実施態様に従って作られたボトルタイプの容器の透視図である。
【図２】本発明の好適な実施態様に従って作られたボトルタイプの容器の透視図である。
【図３】図１の容器の側面図である。
【図４】図３の容器の左面図である（正面図）。
【図５】図３の容器の右面図である（背面図）。
【図６】図３の水平面ＶＩ−ＶＩの容器の水平断面図である。
【図７】図５の垂直面ＶＩＩ−ＶＩＩの容器の垂直断面図である。
【図８】容器の上部から見た、手により握られた空の容器の写真である。
【図９】容器の側面から見た、手により握られた空の容器の写真であり、容器は注ぐ状態の準備として垂直から傾斜されている。
【図１】
2009536598.tif 000003
【図２】
2009536598.tif 000004
【図３】
2009536598.tif 000005
【図４】
2009536598.tif 000006
【図５】
2009536598.tif 000007
【図６】
2009536598.tif 000008
【図７】
2009536598.tif 000009
【図８】
2009536598.tif 000010
【図９】
2009536598.tif 000011
【国際調査報告】
2009536598.tif 000012
2009536598.tif 000013
2009536598.tif 000014